(57)【要約】【課題】  本発明は、インターネット等を利用する放送において、視聴者からネットワーク経由で情報を収集する技術に関し、収集される視聴者情報の転送過程における盗聴から視聴者のプライバシの保護を行う技術を提供することを課題にする。【解決手段】  情報リストｃ、暗号化鍵Ｋpおよび映像コンテンツｂを少なくとも含む放送番組ａを配信する放送局Ａと、配信された情報リストｃに促されて視聴者Ｂが作成した視聴者情報ｅを暗号化鍵Ｋpにより暗号化し、インターネット２０に送信する放送受信端末装置６０と、暗号化視聴者情報ｆを受信して、暗号化鍵Ｋpとペアの復号化鍵ＫIで復号化する視聴者情報収集サーバ８０と、を含む技術により、インターネット利用放送の視聴者Ｂから視聴者情報ｅを収集する。【選択図】      図１
2005198161.tif 000002
【特許請求の範囲】
【請求項１】
放送局から電波またはネットワークを介して配信された放送番組が受信される放送受信端末装置から、視聴者情報を収集する視聴者情報収集方法であって、
前記放送番組は、暗号化鍵、映像コンテンツおよび情報リストを少なくとも含み、前記情報リストは、送信先アドレスおよび表示情報を少なくとも含み、
前記放送局から、前記放送番組を配信する放送番組配信ステップと、
配信された前記放送番組が前記放送受信端末装置で受信され前記映像コンテンツおよび前記表示情報が表示される番組表示ステップと、
表示された前記表示情報に基づき前記放送受信端末装置で前記視聴者情報を生成する視聴者情報生成ステップと、
前記暗号化鍵により前記視聴者情報が暗号化され暗号化視聴者情報を生成する視聴者情報暗号化ステップと、
前記暗号化視聴者情報が前記視聴者情報に復号化される復号化鍵を有する視聴者情報収集サーバの前記送信先アドレスに、前記暗号化視聴者情報が前記ネットワークを介して送信される暗号化情報送信ステップと、
前記暗号化視聴者情報を受信して、前記復号化鍵で復号化する復号化ステップと、を含むことを特徴とする視聴者情報収集方法。
【請求項２】
放送局から電波またはネットワークを介して配信された放送番組が受信される放送受信端末装置から、視聴者情報を収集する視聴者情報収集方法であって、
前記放送番組は、暗号化鍵、映像コンテンツおよび情報リストを少なくとも含み、前記情報リストは、送信先アドレスおよび表示情報を少なくとも含み、
前記放送局から、前記放送番組を配信する放送番組配信ステップと、
配信された前記放送番組が前記放送受信端末装置で受信され前記映像コンテンツおよび前記表示情報が表示される番組表示ステップと、
表示された前記表示情報に基づき前記放送受信端末装置で前記視聴者情報を生成する視聴者情報生成ステップと、
前記暗号化鍵により前記視聴者情報が暗号化され暗号化視聴者情報を生成する視聴者情報暗号化ステップと、
前記暗号化視聴者情報が、視聴者情報分配サーバの前記送信アドレスに、前記ネットワークを介して送信された後、前記視聴者情報分配サーバから、前記暗号化視聴者情報に対応する復号化鍵を有する視聴者情報収集サーバへ、前記ネットワークを介して転送される暗号化情報転送ステップと、
前記暗号化視聴者情報を受信して、前記復号化鍵で復号化する復号化ステップと、を含むことを特徴とする視聴者情報収集方法。
【請求項３】
映像コンテンツ、暗号化鍵および情報リストが含まれる放送番組が、放送サーバから電波またはネットワークを介して放送受信端末装置に配信され、前記情報リストに基づいて前記放送受信端末装置で生成した視聴者情報が、前記暗号化鍵で暗号化された後、復号化鍵を所持する視聴者情報収集サーバに送信される放送システムにおいて、前記情報リストを前記放送番組に付加する情報付加サーバであって、
前記映像コンテンツが蓄積される番組サーバから前記映像コンテンツを入手する映像コンテンツ入手手段と、
前記情報リストおよび前記暗号化鍵が前記映像コンテンツに付加され前記放送番組を生成する情報付加手段と、
この生成した前記放送番組を前記放送サーバへ転送する放送番組転送手段と、を備えることを特徴とする情報付加サーバ。
【請求項４】
放送サーバから電波またはネットワークを介して配信された放送番組を受信する放送受信端末装置であって、
前記放送番組は、暗号化鍵、映像コンテンツおよび情報リストを少なくとも含み、前記情報リストは、送信先アドレスおよび表示情報を少なくとも含み、
前記放送番組を受信する放送受信手段と、
前記映像コンテンツおよび前記表示情報を表示する番組表示手段と、
前記番組表示手段に表示された前記表示情報に基づき生成された視聴者情報を前記暗号化鍵により暗号化して暗号化視聴者情報を生成する暗号化手段と、
前記暗号化視聴者情報をネットワークに介して前記送信先アドレスへ送信する暗号化情報送信手段と、を備えることを特徴とする放送受信端末装置。
【請求項５】
放送サーバから電波またはネットワークを介して配信された放送番組が受信される放送受信端末装置において生成した視聴者情報が暗号化した暗号化視聴者情報を収集する視聴者情報収集サーバであって、
前記暗号化視聴者情報を受信する情報受信手段と、
復号化鍵により、前記暗号化視聴者情報を前記視聴者情報に復号する復号化手段と、を備えることを特徴とする視聴者情報収集サーバ。
【請求項６】
前記復号化鍵および前記暗号化鍵を生成する鍵生成手段を有することを特徴とする請求項５に記載の視聴者情報収集サーバ。
【請求項７】
前記鍵生成手段で生成した前記暗号化鍵を、前記暗号化鍵が前記放送番組に付加される情報付加サーバへ、前記ネットワークを介して送信させる暗号化鍵送信手段を有することを特徴とする請求項６に記載の視聴者情報収集サーバ。
【請求項８】
暗号化鍵、映像コンテンツ、送信先アドレスおよび表示情報が少なくとも含まれる放送番組を受信した放送受信端末装置において前記映像コンテンツの映像と共に表示された前記表示情報に基づいて生成した視聴者情報を収集するためにコンピュータを、
電波またはネットワークに介して前記放送番組を配信する放送番組配信手段、
前記放送受信端末装置において前記暗号化鍵で前記視聴者情報が暗号化されてなる暗号化視聴者情報が前記送信先アドレスに送信され、この送信された前記暗号化視聴者情報を受信する情報受信手段、
受信した前記暗号化視聴者情報を復号化鍵で元の視聴者情報に復号する復号化手段、として機能させることを特徴とする視聴者情報収集プログラム。
【請求項９】
暗号化鍵、映像コンテンツ、送信先アドレスおよび表示情報が少なくとも含まれる放送番組を受信した放送受信端末装置において前記映像コンテンツの映像と共に表示された前記表示情報に基づいて生成した視聴者情報を収集するためにコンピュータを、
電波またはネットワークに介して前記放送番組を配信する放送番組配信手段、
前記放送受信端末装置において前記暗号化鍵で前記視聴者情報が暗号化されてなる暗号化視聴者情報が前記送信先アドレスに送信され、この送信された前記暗号化視聴者情報を受信する情報受信手段、
前記暗号化視聴者情報の復号化鍵を有する視聴者情報収集サーバへ、前記暗号化視聴者情報を転送させる情報転送手段、として機能させることを特徴とする視聴者情報収集プログラム。
【発明の詳細な説明】
【技術分野】
【０００１】
本発明は、インターネット等のネットワークを通じて行うネットワーク利用放送、または、電波を利用した放送において視聴者から情報を収集する技術に関するものである。
【背景技術】
【０００２】
従来より、放送局、視聴率調査団体、番組制作会社等が、放送番組の視聴者から情報を収集する方法（以降、視聴者情報収集方法という）として、電話回線を利用する方法が一般的で、情報収集のための専用端末が準備される場合もある（例えば、特許文献１参照）。
また、最近ではインターネットの発展に伴い、放送受信機をインターネットに接続させ、視聴者からインターネット経由で情報を収集する方法もある（例えば、特許文献２参照）。
【特許文献１】特開平１１−２７５６０７号公報（段落０００９〜００３６、図１）
【特許文献２】特開平１１−７５２２４号公報（段落０００６〜００１６、図４）
【発明の開示】
【発明が解決しようとする課題】
【０００３】
しかし、以上述べた従来の視聴者情報収集方法には、以下に記載する問題があった。すなわち、前記した電話回線を利用する場合にあっては、視聴者が放送局等に情報を伝達する毎に電話を発信させて回線を接続させる作業が必要となり手間がかかるといった問題がある。一方、情報収集のための専用端末を準備する方法は、この操作上の問題を改善するものであるが、余分な端末を設置することになり、専用端末の設置スペースを視聴者に負担させてしまう問題がある。また、電話回線上で視聴者の情報が漏洩してしまい視聴者のプライバシ保護上の問題があった。
【０００４】
一方、インターネットによる情報収集の場合は、インターネットに常時接続されていれば、前記した電話回線を利用する場合のような接続に関わる操作性の問題や、専用端末が不要なことから設置スペースの問題が解決されることになる。しかし、インターネットを利用する方法は、インターネット上から第三者の盗聴が容易であるといった情報セキュリティ上の問題を根本的に有しており、視聴者のプライバシ保護が不十分となる。
【０００５】
このため、インターネット利用による視聴者情報収集においては、ネットセキュリティ技術であるＳＳＬ（Secure  Socket  Layer）を利用して情報の保護が行なわれる。しかし、ＳＳＬを利用するには、事前準備として、通信を行う二者間で数回の通信を行う必要があり通信コストの増加を招く。また、この事前準備を盗聴された場合は、ＳＳＬにおけるセキュリティは効力をなくしてしまうといった問題があった。
【０００６】
本発明は、以上の問題点を解決することを目的としてなされたものであり、ネットワークまたは電波を利用した放送の視聴者から情報を収集する技術において、視聴者が送信した視聴者情報が伝送途中で、盗聴されても内容を解読できないようにして、視徳者の情報の保護、視聴者のプライバシの保護を行う視聴者情報収集方法、視聴者情報収集サーバ、情報付加サーバおよび放送受信端末装置を提供することを目的とするものである。
【課題を解決するための手段】
【０００７】
本発明は、前記した目的を達成するために創案されたものであり、まず請求項１に記載の視聴者情報収集方法は、放送局から電波またはネットワークを介して配信された放送番組が受信される放送受信端末装置から、視聴者情報を収集する視聴者情報収集方法において、放送番組配信ステップと、番組表示ステップと、視聴者情報生成ステップと、視聴者情報暗号化ステップと、暗号化情報送信ステップと、復号化ステップと、を含むことを特徴とする。
【０００８】
かかる方法によれば、放送番組配信ステップにおいて、電波もしくはネットワークを利用して放送番組が放送局から放送受信端末装置へと配信される。なお、前記放送番組は、情報リスト、暗号化鍵および映像コンテンツを少なくとも含んでいる。そして、情報リストは、送信先アドレスおよび表示情報を少なくとも含んでいる。ここで、表示情報は、放送局等が視聴者からの情報提供を呼びかける旨の内容となっており、映像コンテンツの映像とともに視聴者に表示される情報である。例えば、クイズ番組における問題や、アンケート収集における質問事項等が含まれるものである。
【０００９】
そして、番組表示ステップにおいて、配信された前記放送番組が前記放送受信端末装置で受信され、前記映像コンテンツおよび前記表示情報が例えばモニタ画面等の表示装置から表示される。次に、視聴者情報生成ステップにおいて、表示された前記表示情報に基づき、前記放送受信端末装置で前記視聴者情報が生成される。
そして、視聴者情報暗号化ステップにおいて、前記視聴者情報は、前記暗号化鍵により暗号化されて暗号化視聴者情報が生成される。
【００１０】
次に、暗号化情報送信ステップにおいて、前記暗号化視聴者情報は、復号化鍵を有する視聴者情報収集サーバの前記送信先アドレスに、前記ネットワークを介して送信される。なお、復号化鍵とは、前記暗号化視聴者情報をもとの視聴者情報へ復号化させるものである。そして、復号化ステップにおいて、ネットワーク上の他の場所で、前記暗号化視聴者情報が受信され、復号化鍵で復号化され、もとの視聴者情報を得る。
【００１１】
請求項２に記載の視聴者情報収集方法は、放送局から電波またはネットワークを介して配信された放送番組が受信される放送受信端末装置から、視聴者情報を収集する視聴者情報収集方法において、放送番組配信ステップと、番組表示ステップと、視聴者情報生成ステップと、視聴者情報暗号化ステップと、暗号化情報転送ステップと、復号化ステップと、を含むことを特徴とする。
【００１２】
かかる方法によれば、前記した放送番組配信ステップ、番組表示ステップの処理を経た後、視聴者情報生成ステップで生成した前記暗号化視聴者情報は、視聴者情報暗号化ステップにおいて、視聴者情報分配サーバの前記送信アドレスに、前記ネットワークを介して送信された後、前記視聴者情報分配サーバから、前記暗号化視聴者情報に対応する復号化鍵を有する視聴者情報収集サーバへ、前記ネットワークを介して転送されることになる。そして、前記した復号化ステップにおける処理が行われる。
【００１３】
請求項２の発明は、別個の暗号化鍵で暗号化された複数の視聴者情報に対し、対応する復号化鍵がそれぞれ異なる複数の視聴者情報収集サーバに配布されている場合において有効である。すなわち、複数の視聴者から送信された暗号化視聴者情報は、放送局内等に配置された視聴者情報分配サーバで、一旦、全部集約された後、それぞれ対応する復号化鍵を有する視聴者情報収集サーバへ分配されることになる。これにより、秘匿性の高い視聴者情報を取り扱う場合等では、関係する視聴者情報収集サーバのみが、この視聴者情報を受信することになるので、個人情報のセキュリティが保たれる。
【００１４】
請求項３に記載の情報付加サーバは、映像コンテンツ、暗号化鍵および情報リストが含まれる放送番組が、放送サーバから電波またはネットワークを介して放送受信端末装置に配信され、前記情報リストに基づいて前記放送受信端末装置で生成した視聴者情報が、前記暗号化鍵で暗号化された後、復号化鍵を所持する視聴者情報収集サーバに送信される放送システムにおいて、前記情報リストを前記放送番組に付加する情報付加サーバであって、映像コンテンツ入手手段と、情報付加手段と、放送番組転送手段と、を備えることを特徴とする。
【００１５】
かかる構成によれば、情報付加サーバは、映像コンテンツ入手手段により、前記映像コンテンツが蓄積される番組サーバから前記映像コンテンツを入手する。次に、情報付加手段により、前記情報リストおよび前記暗号化鍵を前記映像コンテンツに付加して前記放送番組を生成する。そして、放送番組転送手段により、放送サーバへ前記放送番組が転送され、この放送サーバから、前記電波もしくはネットワークへ前記放送番組が配信されることになる。
【００１６】
これにより、映像コンテンツに、対応する情報リストおよび暗号化鍵を自動的に付加することができる。そして、情報を収集する放送局等の団体が必要とする情報を、放送番組毎に映像コンテンツ上に表示させることが可能になる。さらに、復号化鍵および暗号化鍵のペアを複数使用して、放送番組毎に異なる暗号化鍵を付加し、対応する復号化鍵をそれぞれ別々の視聴者情報収集サーバに配布することにすれば、視聴者情報は、必要最小限の者のみ閲覧が許され、視聴者のプライバシの保護がより徹底する。
【００１７】
請求項４に記載の放送受信端末装置は、放送サーバから電波またはネットワークを介して配信された放送番組を受信する放送受信端末装置であって、前記放送番組は、暗号化鍵、映像コンテンツおよび情報リストを少なくとも含み、前記情報リストは、送信先アドレスおよび表示情報を少なくとも含み、放送受信手段と、番組表示手段と、暗号化手段と、暗号化情報送信手段と、を備えることを特徴とする。
【００１８】
かかる構成によれば、放送受信端末装置は、放送受信手段により、前記放送番組を受信する。次に、番組表示手段において、前記映像コンテンツおよび前記表示情報を表示する。そして、暗号化手段において、前記番組表示手段に表示された前記表示情報に基づき生成した視聴者情報を前記暗号化鍵により暗号化する。次に、暗号化情報送信手段において、前記暗号化視聴者情報をネットワークに介して前記送信先アドレスへ送信することとなる。これにより、視聴者情報は、ネットワーク経由で放送局等に送信されても、暗号化されているため、電話回線上での盗聴、インターネット上での盗聴などが生じた場合でも、内容が解読されることがない。
【００１９】
請求項５に記載の視聴者情報収集サーバは、放送サーバから電波またはネットワークを介して配信された放送番組が受信される放送受信端末装置において生成した視聴者情報が暗号化した暗号化視聴者情報を収集する視聴者情報収集サーバであって、情報受信手段と、復号化手段と、を備えることを特徴とする。
【００２０】
かかる構成によれば、視聴者情報収集サーバは、情報受信手段により、前記暗号化視聴者情報を受信する。そして、復号化手段により、復号化鍵を使って前記暗号化視聴者情報は、元の視聴者情報へと復号される。これにより、暗号化視聴者情報の復号は、復号鍵を所有する限定された視聴者情報収集サーバのみ可能となる。これにより、収集された視聴者情報は、必要最小限の者しか閲覧できず、視聴者から送信された情報の保護、視聴者のプライバシ保護が可能となる。
【００２１】
請求項６に記載の視聴者情報収集サーバは、請求項５に記載の視聴者情報収集サーバであって、前記復号化鍵および前記暗号化鍵を生成する鍵生成手段を有することを特徴とする。
【００２２】
かかる構成によれば、復号化鍵は、暗号化視聴者情報を復号する視聴者情報収集サーバにおいて生成され使用されることとなるので、移送されることがない。これにより、第三者に、復号化鍵が盗難されることがないため、視聴者から送信された情報の保護、視聴者のプライバシ保護がより徹底される。
【００２３】
請求項７に記載の視聴者情報収集サーバは、請求項６に記載の視聴者情報収集サーバにおいて、前記鍵生成手段で生成した前記暗号化鍵を、前記ネットワークに介して、前記暗号化鍵が前記放送番組に付加される情報付加サーバへ送信する暗号化鍵送信手段を有することを特徴とする。
【００２４】
かかる構成によれば、視聴者情報収集サーバにおいて生成した暗号化鍵は、短時間で自動的に、この暗号化鍵を放送番組に付加させる情報付加サーバに送信されることが可能になる。これにより、放送番組の制作の効率化に寄与することとなる。
【００２５】
請求項８に記載の視聴者情報収集プログラムは、暗号化鍵、映像コンテンツ、送信先アドレスおよび表示情報が少なくとも含まれる放送番組を受信した放送受信端末装置において前記映像コンテンツの映像と共に表示された前記表示情報に基づいて生成した視聴者情報を収集するためにコンピュータを、放送番組配信手段、情報受信手段、復号化手段、として機能させることを特徴とする。
【００２６】
かかる構成によれば、請求項１の発明と同様の作用・機能を奏する視聴者情報収集プログラムが得られる。
【００２７】
請求項９に記載の視聴者情報収集プログラムは、暗号化鍵、映像コンテンツ、送信先アドレスおよび表示情報が少なくとも含まれる放送番組を受信した放送受信端末装置において前記映像コンテンツの映像と共に表示された前記表示情報に基づいて生成した視聴者情報を収集するためにコンピュータを、放送番組配信手段、情報受信手段、情報転送手段、として機能させることを特徴とする。
【００２８】
かかる構成によれば、請求項２の発明と同様の作用・機能を奏する視聴者情報収集プログラムが得られる。
【発明の効果】
【００２９】
本発明にかかる視聴者情報収集方法、視聴者情報収集プログラム、視聴者情報収集サーバ、情報付加サーバおよび放送受信端末装置により以下に示す優れた効果を奏する。
すなわち、請求項１および請求項８の発明にかかる視聴者情報収集方法等によれば、放送番組の視聴者の情報を放送局等の団体が収集する際、この視聴者が作成した情報は、放送番組に付加された暗号化鍵により暗号化されてからネットワーク上に送信されるので、伝送途中で権限の無い第三者に盗聴されても解読されることがない。また、送信する視聴者情報にセキュリティ処理を施すにあたり、特に、ＳＳＬのように通信を行う二者間で数回の通信を行うような煩わしさもない。そして、この暗号化された視聴者情報を復号化する復号化鍵が視聴者情報収集サーバにおいて厳重に管理されている限り、必要最小限の者にのみ、収集された視聴者情報が閲覧可能となり、視聴者のプライバシが保護される。
【００３０】
請求項２および請求項９の発明にかかる視聴者情報収集方法等によれば、付加する暗号化鍵を放送番組毎に変えて視聴者に配信し、対応する復号化鍵をそれぞれ異なる視聴者情報収集サーバに所有させれば、視聴者が送信した暗号化視聴者情報は、対応する復号化鍵を有する視聴者情報収集サーバのみで復号化される。これにより、視聴者情報の秘匿性の保護がより確実になる。
【００３１】
請求項３の発明にかかる情報付加サーバによれば、情報リストおよび暗号化鍵が自動的に映像コンテンツに付加されて、放送番組が形成されるので、放送番組の作成の効率化に寄与する。
【００３２】
請求項４の発明にかかる放送受信端末装置によれば、視聴者は、放送番組の映像コンテンツを視聴しながら、放送局等からの情報提供等が掲載されている情報リストを閲覧でき、この情報提供の呼びかけに対する応答をすることができる。なお、この応答の際に作成された視聴者情報は、放送番組に添付されている暗号化鍵により暗号化されてから送信されるので、この視聴者情報が盗聴されてもその内容が第三者に漏洩することがない。
【００３３】
請求項５〜請求項７の発明にかかる視聴者情報収集サーバによれば、暗号化視聴者情報を復号化させて、元の視聴者情報に変換できるのは、当該視聴者情報収集サーバにおいてのみ可能となる。さらに、この視聴者情報収集サーバが、復号化鍵および暗号化鍵を生成させる鍵生成手段を備えることにより、復号化鍵が移送されることがなくなり、復号化鍵の安全管理も万全となる。これにより、視聴者情報の秘匿性の保護がより確実になる。
【発明を実施するための最良の形態】
【００３４】
以下本発明の実施形態について図面を参照しつつ説明する。
図１〜図６を参照して本発明の実施形態について説明する。図１は本発明における視聴者情報収集方法を適用した一実施形態であるネットワーク利用放送システムの基本構成を示すブロック図である。図２は、本実施形態にかかる情報付加サーバの構成を示すブロック図である。図３は、本実施形態にかかる放送受信端末装置の構成を示すブロック図である。図４は、本実施形態にかかる視聴者情報分配サーバの構成を示すブロック図である。図５は、本実施形態にかかる視聴者情報収集サーバの構成を示すブロック図である。図６は、本実施形態にかかる視聴者情報収集方法の動作フローを示すフローチャートである。
【００３５】
まず、図1を参照して、本発明の一実施形態であるネットワーク利用放送システム１０の構成について説明する。なお、請求項に記載される構成要素は、本実施形態との関連を明確にするために、カッコ書で対応が示されている。
ネットワーク利用放送システム１０は、インターネット（ネットワーク）２０上に接続された放送局Ａ側の放送用イントラネット３０と、視聴者Ｂ側で放送番組ａを視聴する放送受信端末装置６０とを少なくとも有し、適宜、情報収集組織Ｃに属する視聴者情報収集サーバ８０がインターネット２０に接続された構成となっている。
【００３６】
放送用イントラネット３０とはＬＡＮ３３のことであって、このＬＡＮ３３は、放送番組ａを放送する放送局Ａに施設されており、番組サーバ３１、放送サーバ（放送番組配信手段）３２、情報付加サーバ４０および視聴者情報分配サーバ７０が接続されている。そして、放送用イントラネット３０は、ゲートウェイ３４を介してインターネット２０に接続され、インターネット２０を経由して放送受信端末装置６０に放送番組ａを放送し、視聴者Ｂからの情報（視聴者情報ｅ）の収集を行う。
【００３７】
番組サーバ３１は、ＬＡＮ３３に接続され、放送番組ａを構成する映像コンテンツｂが保存（蓄積）されるサーバである。
放送サーバ（放送番組配信手段）３２は、ＬＡＮ３３に接続され、放送前の放送番組ａが一時蓄積され、放送時間にあわせてこの放送番組ａをインターネット２０に配信するサーバである。なお、放送サーバ３２に一時蓄積される放送番組ａは、放送予定時間となる前に、番組サーバ３１から情報付加サーバを経て放送サーバ３２に転送され、放送終了後は放送サーバ３２から削除されることになる。また、放送サーバ３２に蓄積されている放送番組ａには、後記する情報付加サーバ４０の作用により映像コンテンツｂ以外に種々の情報（情報リストｃ、暗号化鍵ＫP等）が付加されている。
【００３８】
ゲートウェイ３４は、放送用イントラネット３０とインターネット２０との接点であり、放送用イントラネット３０をインターネット２０に接続する装置である。このゲートウェイ３４は例えば、ＩＰルータ（ＩＰ：Internet  protocol）であり、インターネット２０から放送用イントラネット３０内部への不正アクセスを防ぐファイア・ウォールの機能を有するものである。
【００３９】
情報付加サーバ４０は、ＬＡＮ３３に接続され、放送サーバ３２の求めに応じて、対応する映像コンテンツｂを番組サーバ３１から取出し、これに情報リストｃ、暗号化方式ｄおよび暗号化鍵ＫP等を付加して放送番組ａを生成し、放送サーバ３２に転送するサーバである。情報付加サーバ４０は、図２に示すように、通信器４１、情報リスト生成部４２、情報リスト蓄積部４３およびコントローラ５０から構成される。
【００４０】
ここで、情報リストｃとは、視聴者Ｂ側から放送番組ａに関連した情報を収集する目的で、放送局Ａから配信される放送番組ａに付加される情報である。情報リストｃとは、具体的に説明すると、放送局Ａ等が視聴者Ｂからの意見等の収集を目的として、映像コンテンツｂの映像とともに表示され、視聴者Ｂに情報提供を呼びかける内容である表示情報ｃ2（図３参照）が含まれるものである。さらに、この情報提供に応じて視聴者が作成したり、放送受信端末装置６０（図１）で自動的に生成されたりした視聴者情報ｅの送信先となる送信先アドレスｃ1が含まれる。例えば、表示情報ｃ2は、クイズ番組の問題や、アンケート収集における質問事項であったりする。
【００４１】
視聴者情報ｅは、このような表示情報ｃ2に促されて、視聴者Ｂが作成したものであったり、もしくは、視聴率調査を目的として、視聴者Ｂが視聴している放送番組ａのタイトル等が放送受信端末装置６０により自動的に生成されたりしたものである。
【００４２】
暗号化方式ｄとは、情報リストｃに対する応答として放送受信端末装置６０において作成された視聴者情報ｅを暗号化するための方式を示す。ここでは公開鍵による暗号化方式ｄが用いられ、例えばＲＳＡ（開発者のRivest,Shamir,Adlemanの頭文字）であったり楕円曲線暗号等の暗号化方式である。
【００４３】
公開鍵による暗号化方式とは、情報の暗号化および復号に異なる一対（ペア）の鍵（公開鍵ＫPおよび秘密鍵ＫI）を使用するもので、秘密鍵ＫIとは、視聴者情報ｅを収集する部署（例えば視聴者情報収集サーバ８０）のみが知りうる復号化鍵で、公開鍵ＫPとは、視聴者Ｂに公開（配布）される暗号化鍵である。そして、ある公開鍵ＫPで暗号化された視聴者情報ｅは、この公開鍵ＫPとペアである秘密鍵ＫIによってのみ復号化が可能となっている。
【００４４】
暗号化方式として公開鍵方式を採用する場合は、放送番組ａに付加される前記した暗号化鍵ＫPは、視聴者情報収集サーバ８０が所持する秘密鍵ＫIとペアの公開鍵ＫPである。そして、前記したように、視聴者Ｂで作成された視聴者情報ｅは、この公開鍵ＫPで暗号化され、暗号化された視聴者情報ｅは、復号化鍵（秘密鍵）ＫIを有する視聴者情報収集サーバ８０のみが復号できることとなる。
【００４５】
情報リスト生成部４２は、放送番組ａに付加する情報リストｃを作成するもので、作成された情報リストｃは、情報リスト蓄積部４３に一時的に蓄積される。
コントローラ５０は、蓄積要求受信部５１、判断部５２、転送要求送信部５３、映像コンテンツ受信部（映像コンテンツ入手手段）５４、情報リスト・公開鍵付加部（情報付加手段）５５および放送番組転送部（放送番組転送手段）５６から構成される。そして、コントローラ５０は、放送用イントラネット３０上において情報付加サーバ４０が行う処理の制御もしくは管理を通信器４１に介して行うものである。
【００４６】
蓄積要求受信部５１は、放送サーバ３２（図１）が放送番組ａを蓄積したい旨の要求（放送番組蓄積要求ｇ）を放送サーバ３２から受信するものである。
判断部５２は、放送サーバ３２からの放送番組蓄積要求ｇを受け、放送番組ａに付加すべき情報リストｃが情報リスト蓄積部４３に存在するか否かを確認するものである。そして、放送番組ａに付加すべき情報リストｃの有無の情報を転送要求送信部５３に出力するものである。
【００４７】
転送要求送信部５３は、放送番組ａに付加すべき情報リストｃが情報リスト蓄積部４３に存在していなければ、番組サーバ３１（図１）に対し、当該放送番組ａに対応する映像コンテンツｂを放送サーバ３２に転送するように要求するものである。そして、放送サーバ３２に転送された映像コンテンツｂは、そのまま放送番組ａとして放送予定時間にインターネット２０に配信されることとなる。また、転送要求送信部５３は、情報リスト蓄積部４３に放送番組ａへ付加する情報リストｃが存在していれば、番組サーバ３１に対し、対応する映像コンテンツｂを情報付加サーバ４０へ転送するように要求するものである。
【００４８】
映像コンテンツ受信部（映像コンテンツ入手手段）５４は、番組サーバ３１から転送されてきた映像コンテンツｂを受信し、情報リスト・公開鍵付加部５５に出力するものである。
情報リスト・公開鍵付加部（情報付加手段）５５は、入力された映像コンテンツｂに対応する情報リストｃを情報リスト蓄積部４３から取出し、暗号化鍵（公開鍵）ＫPもあわせて付加して放送番組aを生成するものである。
放送番組転送部（放送番組転送手段）５６は、通信器４１を介して放送サーバ３２に向け、情報リスト・公開鍵付加部５５において生成した放送番組aを転送するものである。
【００４９】
放送受信端末装置６０（図１）は、放送局Ａからインターネット２０に配信された放送番組ａを受信し、視聴者Ｂによる番組の視聴を可能にするものである。さらに、放送受信端末装置６０は、放送番組ａに付加されている情報リストｃの内容を表示し、視聴者が作成した視聴者情報ｅを暗号化鍵（公開鍵）ＫPにより暗号化した暗号化視聴者情報ｆを放送局Ａ側に返信するものである。
【００５０】
放送受信端末装置６０は、図３に示すように放送受信部（放送受信手段）６１、分離部６２、暗号化番組表示部（番組表示手段）６３、情報作成部６４、暗号化部（暗号化手段）６５および暗号化情報送信部（暗号化情報送信手段）６６により構成される。なお、図１中省略されているが、放送受信端末装置６０は、プロバイダを介してインターネット２０に接続され、インターネット２０上に複数接続されているものである。
【００５１】
放送受信部（放送受信手段）６１は、インターネット２０（図１）上に配信される放送番組ａを受信し、分離部６２に出力するものである。
分離部６２は、入力した放送番組ａから、映像コンテンツｂと、付加された情報（情報リストｃおよび暗号化鍵ＫP等）とに分離するものである。
番組表示部（番組表示手段）６３は、分離された映像コンテンツｂおよび情報リストｃを図示しない表示装置に再生および表示するものである。
【００５２】
情報作成部６４は、放送受信端末装置６０に備えられた、入力装置（例えばキーボード、マウスまたはリモコン等）により視聴者情報ｅを作成するものである。そして、図示しない表示装置に表示されている表示情報ｃ2に促された視聴者Ｂが前記入力装置の操作により視聴者情報ｅを作成する。または、情報作成部６４の機能に基づき自動的に視聴者情報ｅが作成される場合もある。例えば、視聴率調査を目的する場合等では、視聴している放送番組ａのタイトル等が自動的に作成され視聴者情報ｅになる。そして、この作成された視聴者情報ｅは、情報作成部６４から、暗号化部６５に出力されることとなる。
【００５３】
暗号化部（暗号化手段）６５は、分離部６２において放送番組ａから分離した暗号化鍵ＫP（放送局Ａ側の公開鍵）により、情報作成部６４から入力した視聴者情報ｅを暗号化方式ｄに基づき暗号化するものである。そして、暗号化部６５は、この暗号化された視聴者情報（暗号化視聴者情報ｆ）を暗号化情報送信部６６に出力する。
【００５４】
暗号化情報送信部（暗号化情報送信手段）６６は、入力された暗号化視聴者情報ｆをインターネット２０を経由して、放送局Ａ側に送信するものである。
このように、放送受信端末装置６０で作成された視聴者情報ｅには、視聴者Ｂのプライバシに関わる情報が含まれていることがある。そこで、視聴者情報ｅが暗号化された後、インターネット２０に伝送されれば、例え権限を有しない第三者に暗号化視聴者情報ｆが受信されても、ペアになる復号化鍵（秘密鍵）ＫIを有しないので解読されず、視聴者Ｂのプライバシが保護されることになる。
【００５５】
視聴者情報分配サーバ７０は、図１に示すようにＬＡＮ３３に接続され、図４に示すように、情報受信部７１、配信先確認部７２、情報転送部（情報転送手段）７３およびアドレスＤＢ７４を備えて構成される。そして、視聴者情報分配サーバ７０は、インターネット２０（図１）経由で放送受信端末装置６０から送信された視聴者Ｂ側の情報（暗号化視聴者情報ｆ）を受信し、視聴者情報収集サーバ８０へ、受信した暗号化視聴者情報ｆを転送する機能を有するものである。
【００５６】
情報受信部７１は、放送受信端末装置６０からインターネット２０経由で送信された暗号化視聴者情報ｆを受信するものである。
配信先確認部７２は、受信した暗号化視聴者情報ｆの転送先を、アドレスＤＢ７４に登録されているアドレスの中から確認する。この転送先とは、暗号化視聴者情報ｆを復号化する復号化鍵（秘密鍵）ＫIを有する視聴者情報収集サーバ８０であって、具体的には、視聴者情報ｅ（図５）の収集を意図した情報収集組織Ｃとして例えば視聴率調査会社等が含まれる。
【００５７】
情報転送部（情報転送手段）７３は、配信先確認部７２で確認されたアドレスに向けて受信した暗号化視聴者情報ｆを送信するものである。
アドレスＤＢ７４は、例えば、公開鍵ＫPおよび秘密鍵ＫIのペアが複数発行され、放送番組ａ毎にそれぞれ異なる公開鍵ＫPが付加され、それぞれの視聴者情報ｅを別個の視聴者情報収集サーバ８０で受信するといった場合、これら視聴者情報収集サーバ８０のアドレスが登録されているものである。
【００５８】
視聴者情報収集サーバ８０（図１）は、視聴者情報分配サーバ７０からインターネット２０を経由して送られてくる暗号化視聴者情報ｆの受信と、この受信された暗号化視聴者情報ｆの復号とを実行し、復号された視聴者情報ｅが収集されるサーバである。そして、視聴者情報収集サーバ８０は、情報収集の担当部局または組織（例えば、視聴率調査会社）に配置され、図１に示すように、放送局Ａおよび視聴者Ｂとは異なる別組織（情報収集組織Ｃ）に設けられる場合や、図示しないが放送用イントラネット３０の内部に配置される場合もある。また、視聴者情報収集サーバ８０は、図５に示すように、情報受信部（情報受信手段）８１、復号化部（復号化手段）８２、情報収集部８３、鍵生成部（鍵生成手段）および暗号化鍵送信部（暗号化鍵送信手段）８５を備えて構成される。
【００５９】
情報受信部（情報受信手段）８１は、視聴者情報分配サーバ７０（図１）から、インターネット２０またはＬＡＮ３３経由で送信された暗号化視聴者情報ｆを受信するものである。
復号化部（復号化手段）８２では、暗号化視聴者情報ｆに復号化鍵（秘密鍵）ＫIを作用させ、視聴者Ｂが放送受信端末装置６０で作成した視聴者情報ｅに復号させるものである。なお、この復号化鍵（秘密鍵）ＫIは、放送受信端末装置６０で暗号化するのに用いた公開鍵ＫPとペアをなす鍵で、第三者に知られないように、視聴者情報収集サーバ８０の内部に設けられた鍵生成部８４により作成されたものである。
【００６０】
なお、この鍵生成部８４は、復号化鍵（秘密鍵）ＫIの生成と共に、これとペアとなる暗号化鍵（公開鍵）ＫPも生成し、生成した暗号化鍵ＫPは、暗号化鍵送信部８５により情報付加サーバ４０にインターネット２０を介して配布される。なお、暗号化鍵（公開鍵）ＫPを情報付加サーバ４０に配布する手段は、暗号化鍵送信部８５を経由させる方法にとらわれず、例えば、郵便等の任意の輸送手段を用いてもよい。
情報収集部８３は、復号された視聴者情報ｅが収集・蓄積されるものである。
【００６１】
このように、暗号化視聴者情報ｆは、視聴者情報収集サーバ８０において、復号されることにより初めて視聴者情報ｅが解読され内容が明らかになる。このため、復号化鍵（秘密鍵）ＫIが、厳重に管理され第三者の手に渡らない限りにおいて、暗号化視聴者情報ｆが転送過程で第三者に盗聴されても視聴者情報ｅが解読される恐れがなく、視聴者Ｂのプライバシは保護される。なお、前記説明において、放送受信端末装置６０（図１）から送信された暗号化視聴者情報ｆは、一旦、視聴者情報分配サーバ７０を経由して視聴者情報収集サーバ８０に転送されることとしたが、暗号化視聴者情報ｆは、放送受信端末装置６０（図１）から直接、視聴者情報収集サーバ８０に転送される場合もある。
【００６２】
次に、図１および図６を参照して、放送局Ａからインターネット２０を介して放送番組ａが配信され、視聴者Ｂが作成した視聴者情報ｅが収集されるまでの動作について説明する。図６は、本発明におけるネットワーク利用放送システムにおける動作フローを示すフローチャートである。
【００６３】
まず、放送サーバ３２から情報付加サーバ４０に対し、放送番組ａの放送番組蓄積要求ｇがなされる（ステップＳ１１）。次に、情報付加サーバ４０において、放送番組ａの情報リストｃが情報リスト蓄積部４３（図２）に蓄積されているかが判断され、蓄積されていなければ（ステップＳ１２：Ｎｏ）、番組サーバ３１は、映像コンテンツｂを直接、放送サーバ３２に転送する（ステップＳ１３）。また、放送番組ａの情報リストｃが蓄積されていれば（ステップＳ１２：Ｙｅｓ）番組サーバ３１に対し、映像コンテンツｂを情報付加サーバ４０に転送するように番組転送要求ｈが出される。そして、番組サーバ３１に蓄積されている映像コンテンツｂは、情報付加サーバ４０に転送される（ステップＳ１４）。
【００６４】
そして、番組サーバ３１から転送されてきた映像コンテンツｂを受信した情報付加サーバ４０は（ステップＳ１５）、情報リスト蓄積部４３（図２）の中から対応した情報リストｃを抽出し映像コンテンツｂに付加する（ステップＳ１６）。また同時に、放送局Ａの公開鍵（暗号化鍵）ＫPも映像コンテンツｂに付加される（ステップＳ１７）。このようにして、種々の情報が付加された映像コンテンツｂは、放送番組ａを構成し、放送サーバ３２に転送され蓄積される（ステップＳ１８，Ｓ１９）。そして、複数の放送番組ａを蓄積している放送サーバ３２では、放送時間にあわせて、該当する放送番組ａをインターネット２０に配信する（ステップＳ２０）。
【００６５】
次に、インターネット２０を流れる放送番組ａは、視聴者Ｂに設置されている放送受信端末装置６０において受信される（ステップＳ２１）。そして、分離部６２（図３）に入力した放送番組ａから暗号化鍵（公開鍵）ＫPが分離される（ステップＳ２２）。次に、視聴者Ｂは、映像コンテンツｂの映像に付随して表示される表示情報ｃ2の情報を視聴する（ステップＳ２３）。そして、表示情報ｃ2を参照して情報提供を促された視聴者Ｂが、情報作成部６４（図３）において視聴者情報ｅを作成する（ステップＳ２４：Ｙｅｓ）。視聴者Ｂが情報作成を拒む場合（ステップＳ２４：Ｎｏ）は、その後の処理は実行されず、動作フローは終了する。視聴者情報ｅの入力が行なわれれば（ステップＳ２４：Ｙｅｓ）、ステップＳ２２で分離された暗号化鍵（公開鍵）ＫPにより、視聴者情報ｅは暗号化され暗号化視聴者情報ｆとなる（ステップＳ２５）。そして、暗号化視聴者情報ｆは、暗号化情報送信部６６（図３）からインターネット２０を経由して送信先アドレスｃ1の宛先である視聴者情報分配サーバ７０に送信される（ステップＳ２６）。
【００６６】
次に、放送局Ａ内の視聴者情報分配サーバ７０において、インターネット２０経由で送信された暗号化視聴者情報ｆが受信される（ステップＳ２７）。そして、この暗号化視聴者情報ｆを暗号化した公開鍵ＫPとペアの秘密鍵ＫIを所持する視聴者情報収集サーバ８０のアドレスがアドレスＤＢ７４（図４）に登録されているものの中から選択されることで配信先（ここでは情報収集組織Ｃ）が決定される（ステップＳ２８）。次に、この配信先（情報収集組織Ｃ）へ、視聴者情報分配サーバ７０からインターネット２０経由で暗号化視聴者情報ｆが送信される（ステップＳ２９）。
【００６７】
次に、インターネット２０に流れる暗号化視聴者情報ｆを情報収集組織Ｃの視聴者情報収集サーバ８０が受信する（ステップＳ３０）。そして、視聴者情報ｅを暗号化した暗号化鍵（公開鍵）ＫPと、情報収集組織Ｃが所持する復号化鍵（秘密鍵）ＫIとがペアである場合（ステップＳ３１：Ｙｅｓ）、暗号化視聴者情報ｆは、復号化部８２（図５）において復号化鍵（秘密鍵）ＫIにより復号され、視聴者情報ｅが生成される（ステップＳ３２）。そして、復号された視聴者情報ｅは情報収集部８３（図５）に収集される（ステップＳ３３）。一方、視聴者情報収集サーバ８０が所持する復号化鍵（秘密鍵）ＫIが、暗号化視聴者情報ｆを暗号化した暗号化鍵（公開鍵）ＫPとペアでない場合は、暗号化視聴者情報ｆが、視聴者情報ｅへと復号化されることはない（ステップＳ３１：Ｎｏ）。よって、権限を有しない第三者が情報収集組織Ｃになりすまして暗号化視聴者情報ｆを取得しても暗号化視聴者情報ｆは復号されず内容が漏洩することがない。
【００６８】
以上のように、視聴者Ｂが作成した視聴者情報ｅは、放送番組ａに付加して配布された暗号化鍵（公開鍵）ＫPにより暗号化される。そして、暗号化された暗号化視聴者情報ｆは、復号化鍵（秘密鍵）ＫIを有する視聴者情報収集サーバ８０を閲覧できる限定された者のみに閲覧可能となる。これにより、視聴者情報ｅを発信した視聴者Ｂのプライバシ保護が可能になる。また、さらに暗号化鍵（公開鍵）ＫPと復号化鍵（秘密鍵）ＫIとのペアを複数用意し、放送番組ａ毎に異なる暗号化鍵（公開鍵）ＫPを付加することとすれば、必要最小限の者のみに収集された視聴者情報ｅの閲覧が可能となりプライバシの保護が徹底する。
【００６９】
以上、説明した本実施形態は本発明を説明するための一例であり、本発明は前記した実施形態に限定されるものでなく、発明の要旨の範囲内で種々の変形が可能である。例えば、図１に示したように、本実施形態では、放送サーバ３２は、情報付加サーバ４０に対して、最初に放送番組蓄積要求ｇを行うこととした。これに対し、放送サーバ３２は、番組サーバ３１に最初にアクセスすることとして、番組サーバ３１から情報付加サーバ４０へ映像コンテンツｂに付加する情報の存在を確認させる手順としてもよい。
【００７０】
また、視聴者Ｂ側から配信された暗号化視聴者情報ｆは、一旦、放送局Ａの視聴者情報分配サーバ７０を経由して情報収集組織Ｃに転送されることとしたが、放送番組ａに付加する送信先アドレスｃ1の宛先を視聴者情報収集サーバ８０として、放送受信端末装置６０から直接、情報収集組織Ｃに送信してもよい。具体的には、図６中、破線矢印で示すように、ステップＳ２６から直接ステップＳ３０に動作フローさせることも可能である。
【００７１】
また、本発明の一実施形態として、放送局Ａから配信される放送番組ａはインターネット２０等のネットワークを介して視聴者Ｂに配信されるネットワーク利用放送システム１０を例示したが、他に、電波を利用して行う放送等、放送形態が異なる他の場合に置き換えた場合も適用可能である。また本発明は、本実施形態に限ることなく、視聴者情報を暗号化させる暗号化方式としてＩＤ−ｂａｓｅｄ方式を適用させてもよい。また、ネットワーク利用放送システム１０（図１）は、コンピュータによって各機能手段を各機能プログラムとして実現することも可能であり、各機能プログラムを結合して視聴者情報収集プログラムとして動作させることも可能である。
【図面の簡単な説明】
【００７２】
【図１】本発明における視聴者情報収集方法を適用した一実施形態であるネットワーク利用放送システムの基本構成を示すブロック図である。
【図２】本発明の一実施形態にかかる情報付加サーバの構成を示すブロック図である。
【図３】本発明の一実施形態にかかる放送受信端末装置の構成を示すブロック図である。
【図４】本発明の一実施形態にかかる視聴者情報分配サーバの構成を示すブロック図である。
【図５】本発明の一実施形態にかかる視聴者情報収集サーバの構成を示すブロック図である。
【図６】本発明の一実施形態にかかる視聴者情報収集方法の動作を示すフローチャートである。
【符号の説明】
【００７３】
１０    ネットワーク利用放送システム（放送システム）
２０    インターネット（ネットワーク）
３２    放送サーバ（放送番組配信手段）
４０    情報付加サーバ
５４    映像コンテンツ受信部（映像コンテンツ入手手段）
５５    情報リスト・公開鍵付加部（情報付加手段）
５６    放送番組転送部（放送番組転送手段）
６０    放送受信端末装置
６１    放送受信部（放送受信手段）
６３    番組表示部（番組表示手段）
６５    暗号化部（暗号化手段）
６６    暗号化情報送信部（暗号化情報送信手段）
７０    視聴者情報分配サーバ
７３    情報転送部（情報転送手段）
８０    視聴者情報収集サーバ
８１    情報受信部（情報受信手段）
８２    復号化部（復号化手段）
８４    鍵生成部（鍵生成手段）
８５    暗号化鍵送信部（暗号化鍵送信手段）
Ａ      放送局
Ｂ      視聴者
ａ      放送番組
ｂ      映像コンテンツ
ｃ      情報リスト
ｃ1    送信先アドレス
ｃ2    表示情報
ｅ      視聴者情報
ＫP    公開鍵（暗号化鍵）
ＫI    秘密鍵（復号化鍵）
【図１】
2005198161.tif 000003
【図２】
2005198161.tif 000004
【図３】
2005198161.tif 000005
【図４】
2005198161.tif 000006
【図５】
2005198161.tif 000007
【図６】
2005198161.tif 000008